(57)【特許請求の範囲】
【請求項１】
先端にペン先（８）を備え且つ内部にインキが収容された軸筒（４）と、該軸筒（４）後端開口部に着脱自在に設けた尾栓（２）とからなり、前記尾栓（２）が軸筒（４）後端部より後方に露出する鍔部（２１）を備え、前記鍔部（２１）前面と軸筒（４）後端部との間にこじ開け用の溝（５）を設けた筆記具であって、前記溝（５）を前記軸筒（４）後端開口部内面よりも径方向内方に深く形成したことを特徴とする筆記具。
【請求項２】
前記尾栓（２）が、軸筒（４）内面と嵌合する嵌合筒部（２３）と、軸筒（４）後端部より後方に露出する鍔部（２１）と、前記嵌合筒部（２３）と前記鍔部（２１）とを連結する連結部（２２）とからなり、前記連結部（２２）外面と前記軸筒（４）後端開口部内面との間に、前記溝（５）と接続する空間（６）を設けた請求項１記載の筆記具。
【請求項３】
前記連結部（２２）の外面に、前記鍔部（２１）と前記嵌合筒部（２３）とを連結する軸方向に延びる複数の補強リブ（２４）を設けた請求項２記載の筆記具。
【請求項４】
ペン先（８）を備えるペン先保持体（３）と、内部にインキが収容され且つ先端開口部に前記ペン先保持体（３）を着脱自在に設けた軸筒（４）とからなり、前記ペン先保持体（３）が軸筒（４）先端開口部より前方に露出する鍔部（３１）を備え、前記鍔部（３１）後面と軸筒（４）先端部との間にこじ開け用の溝（５）を設けた筆記具であって、前記溝（５）を前記軸筒（４）先端開口部内面よりも径方向内方に深く形成したことを特徴とする筆記具。
【請求項５】
前記ペン先保持体（３）が、軸筒（４）内面と嵌合する嵌合筒部（３３）と、軸筒（４）先端部より前方に露出する鍔部（３１）と、前記嵌合筒部（３３）と前記鍔部（３１）とを連結する連結部（３２）とからなり、前記連結部（３２）外面と前記軸筒（４）先端部内面との間に、前記溝（５）と接続する空間（６）を設けた請求項４記載の筆記具。
【請求項６】
前記連結部（３２）の外面に、前記鍔部（３１）と前記嵌合筒部（３３）とを連結する軸方向に延びる複数の補強リブ（３４）を設けた請求項５記載の筆記具。
【発明の詳細な説明】
【０００１】
【発明の属する技術分野】
本発明は筆記具に関する。詳細には、インキを内蔵した軸筒と、該軸筒の一端に着脱自在に設けた尾栓またはペン先保持体とからなる筆記具に関する。尚、本発明で「前」とはペン先側を指し、「後」とは尾栓側を指す。
【０００２】
【従来の技術】
従来、例えば、特開平１１−４８６７９号公報には、軸筒内部に収容したインキ吸蔵体を取り外す目的で、前記軸筒の後端開口部に着脱自在の尾栓を設け、前記尾栓の鍔部と軸筒後端部との間に、１０円玉等のコインや工具を係合可能な溝（切欠部）を形成し、該溝にコイン等を係合することにより尾栓をこじ開けようとした筆記具が開示されている。
【０００３】
また、前記公報には、軸筒の先端開口部に、ペン先を備えるペン先保持体を着脱自在に設け、前記ペン先保持体の鍔部と軸筒先端部との間に、前記同様の溝を設けた筆記具が開示されている。
【０００４】
ところが、前記従来の筆記具は、こじ開け用の溝が径方向内方に浅く、尾栓やペン先保持体をこじ開ける際、コイン等の工具の差し込み量が少ないため、容易にこじ開けることができず、また、大きな力を必要とするため、軸筒の端部や、尾栓の鍔部又はペン先保持体の鍔部を損傷させるおそれがある。
【０００５】
【発明が解決しようとする課題】
本発明は前記従来の問題点を解決するものであって、軸筒の端部から尾栓又はペン先保持体を容易に取り外すことができ、尾栓の鍔部又はペン先保持体の鍔部や、軸筒の端部の損傷を十分に抑止可能な筆記具を提供しようとするものである。
【０００６】
【課題を解決するための手段】
〔１〕本発明は、先端にペン先８を備え且つ内部にインキが収容された軸筒４と、該軸筒４の後端開口部に着脱自在に設けた尾栓２とからなり、前記尾栓２が軸筒４後端部より後方に露出する鍔部２１を備え、前記鍔部２１の前面と軸筒４の後端部との間にこじ開け用の溝５を設けた筆記具１であって、前記溝５を前記軸筒４の後端開口部内面よりも径方向内方に深く形成したこと（請求項１）を第１の要件とする。（図１乃至図６参照）
【０００７】
（作用）
前記こじ開け用の溝５が、軸筒４の後端開口部内面よりも径方向内方に深く形成されているため、前記溝５にコイン等の工具９を差し込むと、工具９の内方端部が軸筒４の後端開口部内面より深く位置される。
【０００８】
そのため、図１に示すように、前記工具９の外方端部を、軸筒４後端部を支点にして前方に押圧操作すると、工具９の内方端部の後面が鍔部２１の前面（裏面）を後方に押し、それにより尾栓２を軸筒４の後端開口部から僅かの力で容易に取り外すことができる。また、前記こじ開け方法以外にも、図６に示すように、前記溝５に挿入した工具９の捩じり操作により、軸筒４の後端開口部から容易に尾栓２を取り外すこともできる。
【０００９】
工具９を使って軸筒４後端開口部から容易に尾栓２を取り外すことができることによって、軸筒４後端部や尾栓２の鍔部２１の損傷を抑止できると共に、軸筒４と尾栓２との取り付けを強固なものにし、工具９を使ってこじ開け操作をしない限り、容易には尾栓２を取り外すことができず、尾栓２の脱落事故を防止できる。
【００１０】
尚、尾栓２を軸筒４の後端開口部より着脱自在としたことにより、尾栓２を取り外した軸筒４の後端開口部から、軸筒４内のインキ吸蔵体やインキタンクにインキを補充したり、内部のインキ吸蔵体やインキタンクを取り外し、それらを新たなものに交換したり、またはそれらにインキを再充填することができる。
【００１１】
〔２〕前記請求項１の筆記具１において、前記尾栓２が、軸筒４内面と嵌合する嵌合筒部２３と、軸筒４後端部より後方に露出する鍔部２１と、前記嵌合筒部２３と前記鍔部２１とを連結する連結部２２とからなり、前記連結部２２外面と前記軸筒４の後端開口部内面との間に、前記溝５と接続する空間６を設けたこと（請求項２）が好ましい。
【００１２】
（作用）
それにより、工具９のこじ開け操作（即ち押圧操作または捩じり操作）によって尾栓２を取り外す場合、前記空間６が工具９との逃げ空間となり、尾栓２の嵌合筒部２３の後端部に工具９の内方端部前面が当接することが回避され、工具９のこじ開け操作だけで軸筒４と尾栓２とを大きく離間させることができ、より一層、尾栓２の取り外し作業が容易となる。
【００１３】
〔３〕前記請求項２の筆記具１において、前記連結部２２の外面に、前記鍔部２１と前記嵌合筒部２３とを連結する軸方向に延びる複数の補強リブ２４を設けたこと（請求項３）が好ましい。
【００１４】
（作用）
前記補強リブ２４の相互間には、前記軸筒４後端部と鍔部２１との間のこじ開け用の溝５が形成されると同時に、こじ開け操作時、鍔部２１が嵌合筒部２３に対してぐらつくことが防止され、安定した取り外しが可能となる。
【００１５】
尚、前記補強リブ２４は、軸筒４後端部と当接する段部２４ａを備えてなること（即ち軸筒４後端部とのストッパ機能を有すること）が好ましく、それにより、鍔部２１と軸筒４後端部との間に確実にこじ開け用の溝５を形成することができる。
【００１６】
〔４〕本発明は、ペン先８を備えるペン先保持体３と、内部にインキが収容され且つ先端開口部に前記ペン先保持体３を着脱自在に設けた軸筒４とからなり、前記ペン先保持体３が軸筒４の先端開口部より前方に露出する鍔部３１を備え、前記鍔部３１の後面と軸筒４の先端部との間にこじ開け用の溝５を設けた筆記具１であって、前記溝５を前記軸筒４の先端開口部内面よりも径方向内方に深く形成したこと（請求項４）を第２の要件とする。（図７及び図８参照）
【００１７】
（作用）
前記こじ開け用の溝５が、軸筒４の先端開口部内面よりも径方向内方に深く形成されているため、前記溝５にコイン等の工具９を差し込むと、前記工具９の内方端部が軸筒４の後端開口部内面より深く位置される。
【００１８】
図７に示すように、前記工具９の外方端部を、軸筒４先端部を支点にして後方に押圧操作をすると、工具９の内方端部の前面が鍔部３１の後面（裏面）を前方に押し、それによりペン先保持体３を軸筒４の先端開口部から僅かの力で容易に取り外すことができる。また、前記こじ開け方法以外にも、図８に示すように、前記溝５に挿入した工具９を捩じることにより、軸筒４の先端開口部から容易にペン先保持体３を取り外すこともできる。
【００１９】
工具９を使って軸筒４先端開口部から容易にペン先保持体３を取り外すことができることによって、軸筒４先端部やペン先保持体３の鍔部３１の損傷を抑止できると共に、軸筒４とペン先保持体３との取り付けを強固なものにし、工具９を使ってこじ開け操作をしない限り、容易にはペン先保持体３を取り外すことができず、ペン先保持体３の脱落事故を防止できる。
【００２０】
尚、ペン先保持体３を軸筒４の先端開口部より着脱自在としたことにより、ペン先保持体３を取り外した軸筒４の先端開口部から、軸筒４内のインキ吸蔵体やインキタンクにインキを補充したり、内部のインキ吸蔵体やインキタンクを取り外し、それらを新たなものに交換したり、またはそれらにインキを再充填することができる。
【００２１】
〔５〕前記請求項４の筆記具１において、前記ペン先保持体３が、軸筒４内面と嵌合する嵌合筒部３３と、軸筒４先端部より前方に露出する鍔部３１と、前記嵌合筒部３３と前記鍔部３１とを連結する連結部３２とからなり、前記連結部３２外面と前記軸筒４の先端部内面との間に、前記溝５と接続する空間６を設けたこと（請求項５）が好ましい。
【００２２】
（作用）
それにより、工具９のこじ開け操作（即ち押圧操作または捩じり操作）によってペン先保持体３を取り外す場合、前記空間６が工具９との逃げ空間となり、ペン先保持体３の嵌合筒部３３の先端部に工具９の内方端部後面が当接することが回避され、工具９のこじ開け操作だけで軸筒４と尾栓２とを大きく離間させることができ、より一層、ペン先保持体３の取り外し作業が容易となる。
【００２３】
〔６〕前記請求項５の筆記具１において、前記連結部３２の外面に、前記鍔部３１と前記嵌合筒部３３とを連結する軸方向に延びる複数の補強リブ３４を設けたこと（請求項６）が好ましい。
【００２４】
（作用）
前記補強リブ３４の相互間には、前記軸筒４先端部と鍔部３１との間のこじ開け用の溝５が形成されると同時に、こじ開け操作時、鍔部３１が嵌合筒部３３に対してぐらつくことが防止され、安定した取り外しが可能となる。
【００２５】
尚、前記補強リブ３４は、軸筒４先端部と当接する段部３４ａを備えてなること（即ち軸筒４先端部とのストッパ機能を有すること）が好ましく、それにより、鍔部３１と軸筒４先端部との間に確実にこじ開け用の溝５を形成することができる。
【００２６】
【発明の実施の形態】
本発明の実施の形態を図面に従って説明する。図１乃至図６に本発明の第１実施例を示し、図７及び図８に本発明の第２実施例を示す。
【００２７】
〔第１実施例〕
以下に第１実施例を説明する。（図１乃至図６参照）
【００２８】
（概要）
筆記具１は、内部にインキ吸蔵体７を収容し且つ先端にペン先８を取り付けた軸筒４と、該軸筒４の後端開口部に着脱自在に設けた尾栓２とからなる。
【００２９】
（軸筒）
前記軸筒４は、合成樹脂（例えばポリプロピレン）の射出成形により得られる。前記軸筒４の先端部は、先細状に縮径され、そこにペン先８が保持される。また、前記軸筒４の先端部内面には、ペン先８外周を包囲する筒部４３が一体に軸方向に突設され、該筒部４３の後端部とインキ吸蔵体７の先端部が軸方向に当接されている。さらに、前記筒部４３の後端部には通気用の切り欠き４３ａが設けられる。
【００３０】
また、前記筒部４３の後方には、複数本（具体的には３本）の軸方向に延びる支持リブ４３ｂが一体に形成され、該支持リブ４３ｂによりインキ吸蔵体７の先端部外周面が径方向に圧接支持される。
【００３１】
尚、前記インキ吸蔵体７は、合成樹脂繊維の加工体（例えば外周がフィルムにより被覆されたポリエステル繊維の集束体、またはポリエステル繊維の熱融着加工体もしくは樹脂加工体）よりなり、内部にインキが含浸されている。前記ペン先８は、合成樹脂繊維（例えばアクリル繊維またはポリエステル繊維）の棒状樹脂加工体よりなり、その後端部は、前記インキ吸蔵体７の先端部と突き刺し接続される。
【００３２】
（尾栓）
前記尾栓２は、合成樹脂（例えばポリプロピレン）の射出成形により得られる。前記尾栓２は、有底筒状の連結部２２と、該連結部２２の中央部外周面に一体に連設される有底筒状の嵌合筒部２３と、該連結部２２の後部外周面に一体に連設される円板状の鍔部２１とからなる。前記連結部２２の先端部は、通気用の切り欠き２２ａを備えるとともに、インキ吸蔵体７の後端部を軸方向に当接支持する。
【００３３】
（こじ開け用溝）
前記尾栓２を軸筒４の後端開口部に装着した状態において、前記嵌合筒部２３外面が軸筒４の後端開口部内面と嵌合状態にあるとともに、前記鍔部２１前面と軸筒４の後端部との間には、径方向外方に開口するこじ開け用の溝５が形成されている。前記溝５の幅寸法は、一般的なコイン（例えば１０円硬貨、１００円硬貨、５００円硬貨等）が工具９として適正に使用できるよう、２ｍｍ以下が好ましい。また、前記溝５の径方向の深さ寸法は、より一層、容易な尾栓２の取り外しを可能にするには、軸筒４後端開口部外周面から径方向内方に３ｍｍ以上が好ましい。
【００３４】
（気密嵌合部）
前記嵌合筒部２３の外周面には、環状突起２３ａが一体に形成され、それが、軸筒４後端開口部内周面に一体に形成された環状突起４１と乗り越え嵌合する。さらに、前記環状突起２３ａの後方の前記嵌合筒部２３の外周面には、環状平滑面２３ｂが設けられ、それが、前記軸筒４後端開口部内周面の環状突起４１後方の環状平滑面４２と圧入嵌合する。即ち、嵌合筒部２３外周面と軸筒４後端開口部内周面との間には、前記乗り越え嵌合部と圧入嵌合部よりなる気密嵌合部が形成される。前記気密嵌合部（即ち乗り越え嵌合部及び圧入嵌合部）は、こじ開け操作により嵌合状態が解除される。
【００３５】
（補強リブ）
前記鍔部２１の前面（裏面）と嵌合筒部２３の底壁（即ち嵌合筒部２３の後端部）の間の連結部２２外周面には、複数本（ここでは４本）の板状の補強リブ２４が放射状に一体に形成される。前記補強リブ２４により、前記鍔部２１と嵌合筒部２３の底壁とが連結され、それにより、こじ開け操作時、鍔部２１のぐらつきを抑止できる。
【００３６】
前記補強リブ２４は、その後端部に、軸筒４の後端開口部内径より大きい外径を有する段部２４ａを備える。そのため、前記尾栓２を軸筒４の後端開口部に装着した際、前記段部２４ａが軸筒４の後端部と当接し、コイン等の工具９が挿入可能な幅寸法の溝５が確実に形成される。また、前記補強リブ２４の前記段部２４ａより前方部分は、軸筒４の後端開口部内面と非接触状態が保たれ、該軸筒４の後端開口部の内部に収容される。
【００３７】
前記鍔部２１と嵌合筒部２３の底壁との距離（即ち前記補強リブ２４の軸方向の長さ）は、前記溝５の幅寸法（即ち段部２４ａの軸方向の長さ）より大きく設定されている。それにより、こじ開け操作時の工具９の逃げ空間となる空間６が形成され、尾栓２の嵌合筒部２３の底壁に工具９の内方端部前面が当接することが回避され、工具９のこじ開け操作だけで軸筒４と尾栓２とを大きく離間させることができる。
【００３８】
〔第２実施例〕
以下に第２実施例を説明する。（図７及び図８参照）
【００３９】
（概要）
筆記具１は、内部にインキ吸蔵体７（第１実施例同様の合成樹脂繊維の加工体）を収容した軸筒４（第１実施例同様の合成樹脂の射出成形体）と、該軸筒４の先端開口部に着脱自在に設けた、ペン先８（第１実施例同様の合成樹脂繊維の棒状樹脂加工体）を備えるペン先保持体３とからなる。
【００４０】
（ペン先保持体）
前記ペン先保持体３は、合成樹脂（例えばポリプロピレン）の射出成形により得られる。前記ペン先保持体３は、ペン先８外面を保持する筒状の連結部３２と、該連結部３２の前部外周面に一体に連設される円板状の鍔部３１と、該連結部３２の後部外周面に一体に連設される有底筒状の嵌合筒部３３とからなる。前記連結部３２の後端部は、通気用の切り欠き３２ａを備えるとともに、インキ吸蔵体７の先端部を軸方向に当接支持する。
【００４１】
（こじ開け用の溝）
前記ペン先保持体３を軸筒４の先端開口部に装着した状態において、前記嵌合筒部３３外面が軸筒４の先端開口部内面と嵌合状態にあるとともに、前記鍔部３１後面と軸筒４の先端部との間には、径方向外方に開口するこじ開け用の溝５が形成されている。前記溝５の幅寸法は、一般的なコイン（例えば１０円硬貨、１００円硬貨、５００円硬貨等）が工具９として適正に使用できるよう、２ｍｍ以下が好ましい。また、前記溝５の径方向の深さ寸法は、より一層、容易なペン先保持体３の取り外しを可能にするには、軸筒４先端開口部外周面から径方向内方に３ｍｍ以上が好ましい。
【００４２】
（気密嵌合部）
前記嵌合筒部３３の外周面には、環状突起３３ａが一体に形成され、それが、軸筒４の先端開口部内周面に一体に形成された環状突起４１と乗り越え嵌合する。さらに、前記環状突起３３ａの前方の前記嵌合筒部３３の外周面には、環状平滑面３３ｂが設けられ、それが、前記軸筒４の先端開口部内周面の環状突起４１前方の環状平滑面４２と圧入嵌合する。即ち、第１実施例同様、嵌合筒部３３外周面と軸筒４の先端開口部内周面との間には、前記乗り越え嵌合部と圧入嵌合部よりなる気密嵌合部が形成される。前記気密嵌合部（即ち乗り越え嵌合部及び圧入嵌合部）は、こじ開け操作により嵌合状態が解除される。
【００４３】
前記鍔部３１の後部（裏面）と嵌合筒部３３の底壁（即ち嵌合筒部３３の後端部）の間の連結部３２外周面には、第１実施例同様、複数本（ここでは４本）の板状の補強リブ３４が放射状に一体に形成される。前記補強リブ３４により、前記鍔部３１と嵌合筒部３３の底壁とが連結され、それにより、こじ開け操作時、鍔部３１のぐらつきを抑止できる。
【００４４】
前記補強リブ３４は、その先端部に、軸筒４の先端開口部内径より大きい外径を有する段部３４ａを備える。そのため、前記ペン先保持体３を軸筒４の先端開口部に装着した際、前記段部３４ａが軸筒４の先端部と当接し、コイン等の工具９が挿入可能な幅寸法の溝５が確実に形成される。また、前記補強リブ３４の前記段部３４ａより後方部分は、軸筒４の先端開口部内面と非接触状態が保たれ、該軸筒４の先端開口部の内部に収容される。
【００４５】
前記鍔部３１と嵌合筒部３３の底壁との距離（即ち前記補強リブ３４の軸方向の長さ）は、前記溝５の幅寸法（即ち段部３４ａの軸方向の長さ）より大きく設定されている。それにより、こじ開け操作時の工具９の逃げ空間となる空間６が形成され、ペン先保持体３の嵌合筒部３３の底壁に工具９の内方端部後面が当接することが回避され、工具９のこじ開け操作だけで軸筒４とペン先保持体３とを大きく離間させることができる。
【００４６】
〔その他〕
前記第１実施例の筆記具１において、尾栓２を前記第２実施例のペン先保持体３と置き換えて、両端にペン先を備える両頭式筆記具とすることもできる。
【００４７】
尚、前記ペン先８としては、繊維加工体以外にも、例えば、合成樹脂の押出成形よりなるペン体、ボールペンチップ、パイプ状ペン体、先端にスリットを有する板状ペン体、毛筆ペン体、多孔質ペン体等が挙げられる。
【００４８】
【発明の効果】
請求項１の発明により、軸筒の後端部から尾栓を容易に取り外すことができるとともに、尾栓の鍔部や軸筒の後端部の損傷を十分に抑止できる。
【００４９】
請求項２の発明により、こじ開け操作時の工具の逃げ空間を形成でき、尾栓の嵌合筒部の後端部に工具の前面が当接することが回避され、こじ開け操作だけで軸筒と尾栓とを大きく離間させることができる。
【００５０】
請求項３の発明により、こじ開け操作時、鍔部がぐらつくことが抑止され、尾栓の安定した取り外しが可能となる。
【００５１】
請求項４の発明により、軸筒の先端部からペン先保持体を容易に取り外すことができるとともに、ペン先保持体の鍔部や軸筒の先端部の損傷を十分に抑止できる。
【００５２】
請求項５の発明により、こじ開け操作時の工具の逃げ空間を形成でき、ペン先保持体の嵌合筒部の先端部に工具の後面が当接することが回避され、こじ開け操作だけで軸筒とペン先保持体とを大きく離間させることができる。
【００５３】
請求項６の発明により、こじ開け操作時、鍔部がぐらつくことが抑止され、ペン先保持体の安定した取り外しが可能となる。
【図面の簡単な説明】
【図１】本発明の第１実施例を示す縦断面図である。
【図２】図１のＡ−Ａ線矢視断面図である。
【図３】図１のＢ−Ｂ線断面図である。
【図４】図１のＰ部拡大図である。
【図５】図１の尾栓の斜視図である。
【図６】図１の筆記具の後端部の正面図である。
【図７】本発明の第２実施例を示す要部縦断面図である。
【図８】図７の筆記具の先端部の正面図である。
【符号の説明】
１      筆記具
２      尾栓
２１    鍔部
２２    連結部
２２ａ  切り欠き
２３    嵌合筒部
２３ａ  環状突起
２３ｂ  環状平滑面
２４    補強リブ
２４ａ  段部
３      ペン先保持体
３１    鍔部
３２    連結部
３２ａ  切り欠き
３３    嵌合筒部
３３ａ  環状突起
３３ｂ  環状平滑面
３４    補強リブ
３４ａ  段部
４      軸筒
４１    環状突起
４２    環状平滑面
４３    筒部
４３ａ  切り欠き
４３ｂ  支持リブ
５      こじ開け用の溝
６      空間
７      インキ吸蔵体
８      ペン先
９      工具（コイン）
【図１】
0004368986.tif 000002
【図２】
0004368986.tif 000003
【図３】
0004368986.tif 000004
【図４】
0004368986.tif 000005
【図５】
0004368986.tif 000006
【図６】
0004368986.tif 000007
【図７】
0004368986.tif 000008
【図８】
0004368986.tif 000009